(57)【要約】【課題】絃調律用ピン植設台を琴本体に強固に取り付けるように改良し、時間経過とともに弛みを生じたりして、調律、演奏に支障をきたすことのないようにすること。【解決手段】絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成、接着剤による接着で固定する。【選択図】図１
2008003223.tif 000002
【特許請求の範囲】
【請求項１】
絃調律用ピン植設台は断面５角形の柱状体であって、柱状体の長手方向の両端面を正面及び背面にし、また絃調律用ピンの植設面を斜面とし、前記斜面上方に隣接する面を上面、前記上面に対向するほぼ平行な面を下面、前記斜面下方向に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成することを特徴とする琴の絃調律用ピン植設台弛み防止装置。
【請求項２】
それぞれが接する面へ接着剤による接着で固定することを特徴とする前記請求項１に記載の琴の絃調律用ピン植設台弛み防止装置。
【請求項３】
絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成し、
前記絃調律用ピン植設台右面から左面に向け貫通穴を形成し、該貫通穴をさらに琴本体の堰板も貫通させて、この貫通穴にねじ杆を通しナットによって前記絃調律用ピン植設台を堰板に締め付けることで固定することを特徴とする琴の絃調律用ピン植設台弛み防止装置。
【請求項４】
絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成し、
前記絃調律用ピン植設台右面から正面に向け貫通穴を形成し、該貫通穴をさらに琴本体の堰板も貫通させて、この貫通穴にねじ杆を通しナットによって前記絃調律用ピン植設台を堰板に締め付けるとともに、前記対応する面で接着剤による接着をそれぞれ行って固定することを特徴とする琴の絃調律用ピン植設台弛み防止装置。
【発明の詳細な説明】
【技術分野】
【０００１】
本発明は楽器の中、和筝に関し、とくにその絃調律用ピンを植設する台の構造に関する。
【背景技術】
【０００２】
和筝（以下琴と記す）の絃調律用ピンは、図４の琴の要部断面図に示すような構造で琴の本体に設置されている。１０１は琴の本体で、１０２はその甲、１０３は裏板、１０４は口前、１０５は甲１０２の上に設置する竜角、１０６は竜角１０５上の杭角、１０７は絃、１０８は絃１０７の一端を巻きつけるとともに、その絃を調律するピンで先端寄りにはネジ１０８ａが切られており、このピン１０８を回すことで絃１０７が緊張度を変え、調律が行なわれる。１０９は堰板、そして１１０はピン１０８をねじ込んで植設するねじ穴を備えた絃調律用ピン植設台であり、この絃調律用ピン植設台１１０は図に点線を付加して示したＡ部分で接する各部品に適切な接着剤を用いて接着固定される。すなわち、具体的には、甲１０２の先端端面部、裏板１０３の内面、口前１０４の内面、堰板１０９の前面及び図示しないが琴本体１０１の両側内側面に、それぞれ接着固定される。なお、本図では絃１０７とピン１０８は一本のみ図示したが、実際には１７本等、複数の絃が用いられていることは言うまでもなく、ピン１０８も複数となる。
【発明の開示】
【発明が解決しようとする課題】
【０００３】
このような従来の琴においては、調律のため、ピン１０８を回して絃１０７を一定の力で緊張させるので、絃調律用ピン植設台１１０には複数の絃によって常時かなりの力が加わっている。そのため、絃調律用ピン植設台１１０は時間経過とともに本体１０１その他各部品との関係において弛みを生じ、調律、演奏に支障を生じさせるものとなる。
【０００４】
本発明はこのような従来の琴において、絃調律用ピン植設台を琴本体に強固に取り付けるように改良し、時間経過とともに弛みを生じたりして、調律、演奏に支障をきたすことのないようにすることを課題としている。
【課題を解決するための手段】
【０００５】
上記の課題は本発明によれば、絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接す面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成することで解決される。
【０００６】
また、上記の課題は本発明によれば、前項において、それぞれを、対応し接する面へ接着剤による接着で固定することで解決することができる。
【０００７】
また、上記の課題は本発明によれば、絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成し、前記絃調律用ピン植設台右面から左面に向け貫通穴を形成し、該貫通穴をさらに琴本体の堰板も貫通させて、この貫通穴にねじ杆を通しナットによって前記絃調律用ピン植設台を堰板に締め付けることで固定することで解決される。
【０００８】
また、上記の課題は本発明によれば、絃調律用ピン植設台は断面５角形の柱状体であって、柱状体の長手方向の両端面を正面及び背面とし、また絃調律用ピンの植設面を斜面とし、前記斜面上方に隣接する面を上面、前記上面に対向するほぼ平行な面を下面、前記斜面下方に隣接する面を右面、前記右面に対向するほぼ平行な面を左面とし、前記正面及び背面を琴本体の側面内側面に、前記下面を琴本体の裏板内側面に、前記右面を琴本体の口前内側面に、前記左面を琴本体の堰板前面に、そして前記上面を琴本体の甲先端の下面に、それぞれ対応して接するように形成し、前記絃調律用ピン植設台右面から正面に向け貫通穴を形成し、該貫通穴をさらに琴本体の堰板も貫通させて、この貫通穴にねじ杆を通しナットによって前記絃調律用ピン植設台を堰板に締め付けるとともに、前記対応する面で接着剤による接着をそれぞれ行って固定することで解決されるものとなる。
【発明の効果】
【０００９】
本発明によれば、絃調律用ピン植設台を琴本体に強固に取り付けるように改良したので、時間経過とともに弛みを生じることがなく、調律、演奏に支障をきたすことがない有利な効果が得られる。また、そのための構造も複雑化することなく、琴構成要素の一部の簡単な構造変更ですみ、コストがアップする懸念も少ない有利な効果が得られるものである。
【発明を実施するための最良の形態】
【００１０】
本発明の絃調律用ピン植設台は断面５角形の柱状体とし、柱状体の長い手方向の両端面を正面及び背面、また絃調律用ピンの植設面を斜面、前記斜面上方に隣接する面を上面、前記上面に対向するほぼ平行な面を下面、前記斜面下方に隣接する面を右面、前記右面に対向するほぼ平行な面を左面と呼称した場合、前記正面及び背面の２面を琴本体の、一端寄りの両側面のそれぞれの内側面に、前記下面を琴本体の裏板内側面に、前記右面を琴本体の口前の内側面に、前記左面を琴本体の堰板の前面に、そして前記上面を琴本体の甲先端の下面に、それぞれ対応して接するように形成する。そして更に前記絃調律用ピン植設台右面から正面に向け貫通穴を形成したものを琴本体に配置した場合、該貫通穴をさらに琴本体の堰板も貫通させて、この貫通穴に適切な長さのねじ杆を通し、ナット等によって前記絃調律用ピン植設台を堰板に締め付けるとともに、前記対応する面で接着剤による接着をそれぞれ行って固定するように構成することにより、所期の結果を得ることができる。
【実施例１】
【００１１】
図１は本実施例の琴の要部の図であり、（ａ）は断面図、（ｂ）は絃調律用ピン植設台の斜視図である。図１（ａ）において、１は琴の本体で、２はその甲、３は裏板、４は口前、５は甲２の上に設置する竜角、６は竜角５上の抗角、７は絃、８は絃７の一端を捲きつけるとともに、その絃を調律するピンで先端寄りにはネジ８ａが切られており、このピン８を回すことで絃７が緊張度を変え、調律が行われる。９は堰板、そして１０はピン８をねじ込んで植設するねじ穴を備えた絃調律用ピン植設台であり、この絃調律用ピン植設台１０は図に点線を付加して示したＡ部分で接する各部品に適切な接着剤を用いて接着固定される。すなわち、具体的には、甲２、裏板３、口前４、堰板９、及び本体１の内側面２面にそれぞれ接着固定される。本図では絃７とピン８は一本のみ図示したが、実際には１７本等、複数の絃が用いられることは言うまでもなく、ピン８も複数となる。
【００１２】
図１（ｂ）は絃調律用ピン植設台１０の斜視図である。断面５角形状の柱状体であり、断面５角形を構成する各面の中、斜面１０ａには同図には図示しないが、絃を調律するピンをねじ込むためのねこ穴が絃の本数分、形成される。この斜面１０ａに隣接する上方に上面１０ｂ、隣接する下方に右面１０ｇがそれぞれ形成され、上面１０ｂ、右面１０ｇにそれぞれ対応する平行な面として下面１０ｃ、左面１０ｆが形成、そして柱状長手方向の両端面は正面１０ｄ、背面１０ｅとして形成される。なお、上面１０ｂ、右面１０ｇにそれぞれ対応する平行な面下面１０ｃ、左面１０ｆは必ずしも完全な平行である必要はなく、琴本体１の形状その他に対応するものであればよい。
【００１３】
前記したように斜面１０ａには絃を調律するピンをねじ込むためのねじ穴が絃の本数分、形成される（図１（ｂ）では図示省略）。このねじ穴の形成の方向は、図１（ａ）に示したように斜面１０ａに対し、角度θをもつように形成される。該角度θは９０度より若干の鋭角寄りに形成されることにより絃の張力に対する強度が増加する。
【００１４】
このような形状の絃調律用ピン植設台１０を、琴本体１に取り付ける。取り付けは適切な接着剤を用いて行われ、接着面は次のようになる。まず、上面１０ｂは琴の甲２の下面先端寄りに、右面１０ｇは口前４の内面に、下面１０ｃは裏板３の内面に、左面１０ｆは堰板９の外側面に、そして正面１０ｄと背面１０ｅとはそれぞれ琴本体１の両内側面に固定される。絃調律用ピン植設台１０の形状寸法は前記した対応部分に対し、予め適切な対応形状と適切な対応寸法を有するように設定しておくことは言うまでもない。各接着面は図１（ａ）において点線を付加して符号Ａとして示してあるので明瞭に理解されよう。
【００１５】
このように、本実施例の絃調律用ピン植設台１０は、上面１０ｂを琴の甲２の先端寄り部分の下面に接するように形成し、この部分を接着によって固定するようにしたので、従来、甲の先端端面だけで接着固定していたのに比し格段に強度が大きなものとなる。
【実施例２】
【００１６】
図３は前記とは別の実施例の琴の要部の図である。（ａ）は断面図、（ｂ）は絃調律用ピン植設台の斜視図である。図３においては前記第１の実施例と同様の部分には同じ符号を付して説明する。１は琴の本体で、２はその甲、３は裏板、４は口前、５は甲２の上に設置する竜角、６は竜角５上の抗角、７は絃、８は絃７の一端を捲きつけるとともに、その絃を調律するピンで先端寄りにはネジ８ａが切られており、このピン８を回すことで絃７が緊張度を変え、調律が行われる。９は堰板、そして１１はピン８をねじ込んで植設するねじ穴を備えた絃調律用ピン植設台であり、この絃調律用ピン植設台１１は図に点線を付加して示したＡ部分で接する各部品に適切な接着剤を用いて接着固定される。すなわち、具体的には、甲２、裏板３、口前４、堰板９、及び本体１の内側面２面にそれぞれ接着固定される。本図では絃７とピン８は一本のみ図示したが、実際には１７本等、複数の絃が用いられることは言うまでもなく、ピン８も複数となる。
【００１７】
図３（ｂ）は絃調律用ピン植設台１１の斜視図である。断面５角形状の柱状体であり、５角形を構成する各面の中、斜面１１ａには同図には図示しないが、絃を調律するピンをねじ込むためのねじ穴が絃の本数分、形成される。この斜面１１ａに隣接して上面１１ｂ、右面１１ｇが形成され、上面１１ｂ、右面１１ｇにそれぞれ対応する平行な面として下面１１ｃ、左面１１ｆがあり、長手方向の端面は正面１１ｄ、背面１１ｅとして形成される。１１ｈは右面１１ｇから左面１１ｆに向け、貫通するような設けた穴で、後述するねじ杆を挿入するためのものである。なお、上面１１ｂ、右面１１ｇにそれぞれ対応する平行な面下面１１ｃ、左面１１ｆは必ずしも完全な平行である必要はなく、琴本体１の形状その他に対応するものであればよい。
【００１８】
前記したように斜面１１ａには絃を調律するピンをねじ込むためのねじ穴が絃の本数分、形成される。このねじ穴の形成の方向は、図３（ａ）に示したように斜面１１ａに対し、角度θをもつように形成される。該角度θは９０度より若干の鋭角寄りに形成されることにより絃の張力に対する強度が増加する。
【００１９】
このような形状の絃調律用ピン植設台１１を、琴本体１に取り付ける。取り付けは適切な接着剤を用いて行われ、接着面は次のようになる。まず、上面１１ｂは琴の甲２の下面先端に、右面１１ｇは口前内面に、下面１１ｃは裏板内側面に、左面１１ｆは堰板外側面に、そして正面１１ｄと背面１１ｅとはそれぞれ琴本体１の内側面に固定される。絃調律用ピン植設台１１の形状寸法は予め前記した対応部分に対し、適切な対応形状と適切な対応寸法を有するように設定しておくことは言うまでもない。図３（ａ）において接着面は点線を付加して符号Ａとして示してあるので明瞭に理解されよう。
【００２０】
本実施例においては絃調律用ピン植設台１１の取り付けに、前記の接着のほかに、さらにねじ杆による固定手段が付加されている。図３（ａ）において１２はねじ杆であり、先端寄り部分にねじが切られたボルト状の部品である。堰板９には、絃調律用ピン植設台１１を組み付けた後、その穴１１ｈにねじ杆１２を貫通させ、さらに堰板９を貫通する穴を形成しておき、図３（ａ）のようにナット１３、ワッシャー１４を用いて絃調律用ピン植設台１１を堰板９に締め付けて固定する。このようにすることによって強固な取り付けとすることができる。なお、図３（ｂ）のように穴１１ｈの挿入口側にはボルト状のねじ杆１２の頭の部分を収容する坐繰り部１１ｉを形成しておく。
【００２１】
このように、本実施例の絃調律用ピン植設台１１は、上面１１ｂを琴の甲２の先端寄り部分の下面に接するように形成し、この部分を接着によって固定するようにし、さらにねじ杆１２による固定手段を付加したので、従来、甲の先端端面だけで接着固定していたのに比し格段に強度が大きなものとなる。
【００２２】
なお、前記二つの実施例では、絃調律用ピン植設台を接着によって固定するようにしたものと、接着に加えてねじ杆による固定手段を付加したものとを例示したが、場合によっては後者のねじ杆による固定手段のみとしても本発明を利用可能である。
【図面の簡単な説明】
【００２３】
【図１】（ａ）は本発明の第１の実施例の琴の要部の断面図、（ｂ）は絃調律用ピン植設台の斜視図である。
【図２】本発明の琴の前端部の正面図である。
【図３】（ａ）は本発明の第２の実施例の琴の要部の断面図、（ｂ）は絃調律用ピン植設台の斜視図である。
【図４】従来の琴の要部の断面図である。
【符号の説明】
【００２４】
１                  琴本体
２                  甲
３                  裏板
４                  口前
７                  絃
８                  ピン
９                  堰板
１０、１１          絃調律用ピン植設台
１２                ねじ杆
【図１】
2008003223.tif 000003
【図２】
2008003223.tif 000004
【図３】
2008003223.tif 000005
【図４】
2008003223.tif 000006